(57)【特許請求の範囲】
【請求項１】
各々が長尺状に形成された複数のＬＥＤユニットと、
前記複数のＬＥＤユニットが一面に取り付けられた取付板と、
前記取付板が保持されている器具本体とを備え、
前記取付板は、前記複数のＬＥＤユニットが当該ＬＥＤユニットの短手方向に並んで取り付けられた中央部と、前記ＬＥＤユニットの長手方向における当該取付板の両端部において屈曲して設けられ当該ＬＥＤユニットの長手方向に交差する方向に延びた一対の補強部とを一体に有し、
前記一対の補強部の各々は、前記ＬＥＤユニットの長手方向とは異なる方向に突出して設けられた突出片と、前記突出片の先端から前記一面と平行な方向に延びて設けられた先端片とを一体に有し、
前記取付板は、前記ＬＥＤユニットの長手方向において、前記突出片と前記ＬＥＤユニットの端部との間に隙間を形成し、前記突出片における前記ＬＥＤユニットの端部との対向面は、前記中央部側から前記先端片側に向かうにつれて外側に開くように傾斜して設けられ、前記ＬＥＤユニットからの光を反射させ、
前記隙間は、前記ＬＥＤユニットの長手方向と直交する方向からみて前記中央部の一部と前記突出片と前記ＬＥＤユニットの端部とで囲まれている
ことを特徴とする照明器具。
【請求項２】
長尺状に形成され前記ＬＥＤユニットの長手方向に沿って前記取付板に取り付けられ前記複数のＬＥＤユニットからの光を反射させる反射板を備え、
前記先端片は、前記取付板の前記一面からの距離が前記反射板よりも長い
ことを特徴とする請求項１記載の照明器具。
【請求項３】
前記取付板の前記一面のうち前記隙間に位置する部分は、前記ＬＥＤユニットからの光を反射させる反射機能を有することを特徴とする請求項１または２記載の照明器具。
【発明の詳細な説明】
【技術分野】
【０００１】
本発明は、発光ダイオード（ＬＥＤ：Light Emitting Diode、以下「ＬＥＤ」という）を光源とする照明器具に関する。
【背景技術】
【０００２】
ＬＥＤを光源とする従来の照明器具として、特許文献１には、平板状の配線基板に複数のＬＥＤが配置されたＬＥＤ照明灯が開示されている。
【０００３】
特許文献１に記載されたＬＥＤ照明灯では、一方向に並んだ２以上のＬＥＤからなるＬＥＤ群を複数備え、これら複数のＬＥＤ群が配線基板に上記一方向と直交する方向に並んで配置されている。
【先行技術文献】
【特許文献】
【０００４】
【特許文献１】特開２０１１−４９１５４号公報
【発明の概要】
【発明が解決しようとする課題】
【０００５】
しかしながら、特許文献１に記載された従来のＬＥＤ照明灯には、複数のＬＥＤの重みによって配線基板が撓んでしまうという問題があった。
【０００６】
上記問題を解決する従来の手法として、配線基板を補強する補強板を配置したり、配線基板自体の厚みを厚くしたりすることが考えられる。
【０００７】
ところが、上記のような従来の手法では、補強板の配置スペースの分、または、配線基板の厚みを厚くした分だけ、ＬＥＤ照明灯が厚くなってしまい、薄型のＬＥＤ照明灯を実現しにくくなるという新たな問題が発生する。
【０００８】
本発明は上記の点に鑑みて為された発明であり、本発明の目的は、器具全体の薄型化を実現しつつ、複数のＬＥＤユニットが取り付けられた取付板の撓みを小さくすることができる照明器具を提供することにある。
【課題を解決するための手段】
【０００９】
本発明の照明器具は、各々が長尺状に形成された複数のＬＥＤユニットと、前記複数のＬＥＤユニットが一面に取り付けられた取付板と、前記取付板が保持されている器具本体とを備え、前記取付板は、前記複数のＬＥＤユニットが当該ＬＥＤユニットの短手方向に並んで取り付けられた中央部と、前記ＬＥＤユニットの長手方向における当該取付板の両端部において屈曲して設けられ当該ＬＥＤユニットの長手方向に交差する方向に延びた一対の補強部とを一体に有し、前記一対の補強部の各々は、前記ＬＥＤユニットの長手方向とは異なる方向に突出して設けられた突出片と、前記突出片の先端から前記一面と平行な方向に延びて設けられた先端片とを一体に有し、前記取付板は、前記ＬＥＤユニットの長手方向において、前記突出片と前記ＬＥＤユニットの端部との間に隙間を形成し、前記突出片における前記ＬＥＤユニットの端部との対向面は、前記中央部側から前記先端片側に向かうにつれて外側に開くように傾斜して設けられ、前記ＬＥＤユニットからの光を反射させ、前記隙間は、前記ＬＥＤユニットの長手方向と直交する方向からみて前記中央部の一部と前記突出片と前記ＬＥＤユニットの端部とで囲まれていることを特徴とする。
【００１１】
この照明器具において、長尺状に形成され前記ＬＥＤユニットの長手方向に沿って前記取付板に取り付けられ前記複数のＬＥＤユニットからの光を反射させる反射板を備え、前記先端片は、前記取付板の前記一面からの距離が前記反射板よりも長いことが好ましい。
【００１３】
この照明器具において、前記取付板の前記一面のうち前記隙間に位置する部分は、前記ＬＥＤユニットからの光を反射させる反射機能を有することが好ましい。
【発明の効果】
【００１４】
本発明によれば、器具全体の薄型化を実現しつつ、複数のＬＥＤユニットが取り付けられた取付板の撓みを小さくすることができる。
【図面の簡単な説明】
【００１５】
【図１】実施形態１に係る照明器具の外観斜視図である。
【図２】同上に係る取付板の背面側から見た斜視図である。
【図３】同上に係る照明器具の下面図である。
【図４】同上に係る照明器具を示し、（ａ）は図３のＡ−Ａ断面図、（ｂ）は図３のＢ−Ｂ断面図である。
【図５】同上に係る器具本体の斜視図である。
【図６】同上に係るＬＥＤユニットを示し、（ａ）は断面図、（ｂ）は斜視図である。
【図７】実施形態２に係る照明器具の要部の断面図である。
【発明を実施するための形態】
【００１６】
以下、実施形態１，２に係る照明器具について説明する。なお、以下の説明では、図示する矢印によって上下方向と左右方向と前後方向とを定める。
【００１７】
（実施形態１）
実施形態１に係る照明器具１は、図１に示すように、各々が長尺状に形成された複数（図示例では８個）のＬＥＤユニット２，２，……と、各ＬＥＤユニット２が下面３１１に取り付けられた取付板３と、各ＬＥＤユニット２とともに取付板３に取り付けられた反射板４と、取付板３が保持されている器具本体５とを備えている。取付板３に取り付けられたＬＥＤユニット２は、下方および側方へ向かって光を放射する。なお、ＬＥＤユニット２の詳細については後述する。
【００１８】
本実施形態の照明器具１は、図１に示すように平面型（スクエアタイプ）の照明器具であり、複数のＬＥＤユニット２，２，……が取り付けられた取付板３の前後方向（ＬＥＤユニット２の長手方向）の両端部が屈曲している。以下、取付板３の詳細について説明する。
【００１９】
取付板３は、矩形板状の金属板などであり、複数のＬＥＤユニット２，２，……が左右方向（ＬＥＤユニット２の短手方向）に並んで下面３１１に取り付けられた矩形状の中央部３１と、前後方向（ＬＥＤユニット２の長手方向）における取付板３の両端部において屈曲して設けられた一対の補強部３２，３２とを一体に備えている。
【００２０】
中央部３１には、図２に示すように、ＬＥＤユニット２の突部２４４（図６（ｂ）参照）が挿通される挿通孔３１２と、ＬＥＤユニット２をねじ止め固定するために用いられる２つのユニット用取付孔３１３，３１４と、ＬＥＤユニット２のレセプタクルコネクタ２６が挿通される挿通孔３１５とが前後方向に沿って形成されている。挿通孔３１２とユニット用取付孔３１３，３１４と挿通孔３１５との組み合わせは、左右方向に並んで複数組（図示例では８組）形成されている。また、中央部３１には、取付板３を器具本体５（図５参照）にねじ止め固定するために用いられる複数（図示例では４つ）の取付孔３１６，３１６，……が形成されている。さらに、中央部３１には、左右方向の両端部において一対の屈曲片３６，３６が屈曲して設けられている。
【００２１】
各補強部３２は、前後方向（ＬＥＤユニット２の長手方向）における取付板３の両端部において左右方向（ＬＥＤユニット２の長手方向に交差する方向）に延びて形成されている。詳細に説明すると、各補強部３２は、下方向（ＬＥＤユニット２の長手方向とは異なる方向）に突出して設けられた突出片３３と、突出片３３の先端から前後方向（中央部３１の下面３１１と平行な方向）において外側に延びて設けられた先端片３４とを一体に備えている。
【００２２】
突出片３３は、中央部３１側から先端片３４側へ向かうにつれて左右方向に広がる台形状に形成されている。中央部３１と突出片３３との境界には、両端に切込３７，３７が形成されている。先端片３４は、左右方向に細長い矩形状に形成され、先端部に屈曲片３５が屈曲して設けられている。
【００２３】
取付板３には、中央部３１から各補強部３２の突出片３３にかけて一対の開口３８，３８が形成されている。各開口３８は、中央部３１側では前後方向に細長い矩形状に形成され、突出片３３側では台形状に形成されている。
【００２４】
このような構造の取付板３には、図３に示すように、ＬＥＤユニット２の長手方向が前後方向になるように複数のＬＥＤユニット２，２，……が左右方向（ＬＥＤユニット２の短手方向）に並んで取り付けられている。各ＬＥＤユニット２は、取付板３にねじ止め固定されている。
【００２５】
また、各ＬＥＤユニット２が固定された取付板３には、図４（ｂ）に示すように、前後方向（ＬＥＤユニット２の長手方向）において、突出片３３とＬＥＤユニット２の端部との間に隙間３９，３９が形成されている。取付板３の中央部３１の下面３１１のうち隙間３９，３９に位置する部分は、各ＬＥＤユニット２からの光を反射させる反射機能を有している。
【００２６】
続いて、図１に示す反射板４について説明する。反射板４は、細長状の板を長手方向に沿って屈曲した断面Ｖ字状の部材であり、各ＬＥＤユニット２からの光を反射させる。反射板４の長手方向が前後方向（ＬＥＤユニット２の長手方向）になるように、反射板４は、例えば溶接などによって取付板３の中央に一体に取り付けられている。
【００２７】
ところで、反射板４が取付板３に取り付けられた状態において、下方向における取付板３の下面３１１からの反射板４の高さは、下面３１１から各補強部３２の先端片３４までの距離よりも短い。すなわち、各補強部３２の先端片３４は、中央部３１の下面３１１からの距離が反射板４よりも長い。
【００２８】
続いて、器具本体５について説明する。器具本体５は、図５に示すように、矩形状の主部６と、主部６に取り付けられる矩形枠状の枠部７とを備えている。
【００２９】
主部６は、金属板（例えばクロムフリーの亜鉛鋼板）から形成された部材であり、矩形状の主板６１と、主板６１の周囲から下方向に突出して設けられた４つの側板６２，６２，……（図４参照）とを一体に備え、下方向に開口した箱状に形成されている。主板６１には、取付板３を固定するために用いられる複数（図示例では４個）の固定台６３，６３，……が設けられている。各固定台６３には、取付板３をねじ止め固定するために用いられる取付孔６３１が形成されている。また、主板６１の中心部を挟んだ前後両側には、電源線が接続される電源端子台８２と、信号線が接続される調光端子台８３とが設けられている。さらに、主板６１における電源端子台８２と調光端子台８３との間には、天井（図示せず）から吊り下げられる吊ボルト（図示せず）が挿入されるダルマ穴形状の挿入孔６１１と、長円形状の挿入孔６１２とが厚み方向（上下方向）に貫通して設けられている。これら挿入孔６１１，６１２に吊ボルトを挿入して係止することで、主部６が天井から吊持される。
【００３０】
枠部７は、金属板（例えばクロムフリーの亜鉛鋼板）から形成された部材であり、前後方向に対向する一対の第１の枠７１，７１と、左右方向に対向する第２の枠７２，７２とを一体に備えている。第１の枠７１は、左右方向に細長い矩形状の外側面部７１１と、外側面部７１１の下端から内側に延びて設けられた矩形状の下面部７１２と、下面部７１２の内縁から上方向に延びて設けられた内側面部７１３と、内側面部７１３の上端から内側に延びて設けられた先端部７１４とを一体に備えている。第２の枠７２は、前後方向に細長い矩形状の外側面部７２１と、外側面部７２１の下端から内側に延びて設けられた矩形状の下面部７２２と、下面部７２２の内縁から上斜め方向に延びて設けられた反射部７２３と、反射部７２３の上端から上方向へ延びて設けられた突出部７２４と、突出部７２４の上端から内側に延びて設けられた先端部７２５とを一体に備えている。反射部７２３と左右方向の軸とでなす角θ２が取付板３の角θ１（図２参照）と略同じになるように、反射部７２３が折り曲げ加工されている。
【００３１】
上述のような構成の器具本体５および取付板３は、図３に示すように、前後方向における取付板３の先端片３４の基端から器具本体５の外縁までの幅Ｗ１と、左右方向における器具本体５の幅Ｗ２とが等しくなるように設計されている。なお、本実施形態において、幅Ｗ１と幅Ｗ２は、完全に等しい場合に限定されず、実質的に等しい場合であってもよい。
【００３２】
続いて、ＬＥＤユニット２について説明する。ＬＥＤユニット２は、図６に示すように、光源部２１と、放熱部材２２と、絶縁部材２３と、取付部材２４と、カバー２５とを備えている。
【００３３】
光源部２１は、絶縁材料（例えばセラミック）によって長尺の板状に形成された実装基板２１１と、実装基板２１１の表面に実装される複数の発光ダイオード（以下「ＬＥＤチップ」という）２１２と、実装基板２１１の表面に形成される導電体（図示せず）とを備えている。複数のＬＥＤチップ２１２は、実装基板２１１表面の中央（短手方向の中央）に長手方向に沿って等間隔かつ直線状に並べて実装され、透光性を有しかつ蛍光材料が混合された合成樹脂製の封止部材２１３で封止されている。すなわち、ＬＥＤチップ２１２から放射される光（例えば青色光）の一部が蛍光材料で波長変換され、波長変換された光（例えば黄色光）と波長変換されなかった光（青色光）とが混ざることにより、光源部２１から放射される光が全体として白色光となる。
【００３４】
放熱部材２２は、長尺の平板状に形成されて絶縁部材２３を介して光源部２１が載置される主片２２１と、主片２２１の両端（長手方向に沿った両端）より主片２２１の厚み方向（図６（ａ）の上下方向）に延びた一対の側片２２２，２２２とが熱伝導度の高い材料（例えばアルミ板）によって一体に形成されている。
【００３５】
絶縁部材２３は、放熱部材２２の主片２２１と光源部２１との間に介装される主部２３１と、主部２３１の短手方向の両端より光源部２１に近づく向きに突出する一対の反射部２３２，２３２とが合成樹脂成形体として一体に形成されている。各反射部２３２は、上端から下端に向かうにつれて外側に開くように傾斜し、光源部２１に対向する側の表面（図６（ａ）における内面）が反射面となって光源部２１から放射される光を前方（図６（ａ）における下方）へ反射する。
【００３６】
取付部材２４は、鋼板などの金属板が曲げ加工されることで略角樋状に形成された部材であり、長尺矩形状の底板２４１と、底板２４１の長手方向に沿った両端より立ち下がる一対の側板２４２，２４２とを一体に備え、放熱部材２２に固定されている。底板２４１には、突部２４４が設けられているとともに、２つの取付孔２４５，２４５と、２つの取付孔２４６，２４６とが形成されている。これら取付孔２４５，２４６は、取付板３にＬＥＤユニット２を取り付ける際に用いられる。
【００３７】
また、取付部材２４には、取付金具２４３を用いてレセプタクルコネクタ２６が取り付けられている。レセプタクルコネクタ２６は、光源部２１の導電体と電気的に接続された電線（図示せず）が接続される接続端子部２６１と、プラグコネクタ（図示せず）に差し込まれるコネクタ接続部２６２とを備えている。プラグコネクタは電線を介して点灯装置８１（図４（ａ）参照）に接続されており、プラグコネクタがレセプタクルコネクタ２６に挿抜自在に差込接続される。すなわち、プラグコネクタとレセプタクルコネクタ２６とが差込接続されることで点灯装置８１と光源部２１とが電気的に接続され、点灯装置８１から光源部２１に給電されて光源部２１が発光（点灯）する。
【００３８】
カバー２５は、アクリル樹脂やポリカーボネート樹脂などの透光性を有する合成樹脂材料により、底板２５１と底板２５１の周囲を囲む側壁部２５２，２５２とを有する長尺の矩形箱状に形成されている。また、長手方向に沿った各側壁部２５２には、放熱部材２２の側片２２２に形成されている係合突起２２３が係脱自在に係合する係合凹部２５３が形成されている。
【００３９】
上述した本実施形態の照明器具１では、取付板３の両端部に屈曲して一対の補強部３２が設けられていることによって、複数のＬＥＤユニット２，２，……の重みによる取付板３の撓みを小さくすることができる。この際に、取付板３を補強するための補強板を配置したり、取付板３の厚みを厚くしたりすることを要しないので、器具全体を厚くせずに薄型を維持することができる。
【００４０】
また、本実施形態の照明器具１では、取付板３が両端部で２箇所ずつ屈曲することによって、取付板３の撓みをより小さくすることができる。
【００４１】
さらに、本実施形態の照明器具１では、取付板３の下面３１１からの距離が反射板４よりも取付板３の先端片３４のほうが長い。これにより、下方向（複数のＬＥＤユニット２，２，……が取り付けられた下面３１１の法線方向）における反射板４の飛び出しを防止することができるので、外観上目立ちにくくすることができる。
【００４２】
また、本実施形態の照明器具１では、取付板３の下面３１１のうち隙間３９に位置する部分が、ＬＥＤユニット２からの光を反射させる反射機能を有している。これにより、ＬＥＤユニット２の端部から取付板３の中央部３１側に向かって放射された光を下面３１１で反射させて器具外面に放射しやすくすることができる。
【００４３】
さらに、本実施形態の照明器具１によれば、前後方向における取付板３の先端片３４の基端から器具本体５の外縁までの幅Ｗ１と左右方向における器具本体５の幅Ｗ２とを等しくすることによって、器具全体において四方の枠を均一にすることができる。
【００４４】
（実施形態２）
実施形態２に係る照明器具１は、図７に示すように、取付板３の突出片３３の内面が傾斜している点で、実施形態１に係る照明器具１（図４（ｂ）参照）と相違する。なお、実施形態１の照明器具１と同様の構成要素については、同一の符号を付して説明を省略する。
【００４５】
本実施形態の取付板３の突出片３３は、前後方向（ＬＥＤユニット２の長手方向）において中央部３１側から先端片３４側に向かうにつれて外側に開くように傾斜して設けられている。すなわち、突出片３３は、実施形態１（図４（ｂ）参照）の場合よりも角θ３だけ傾いて設けられている。また、突出片３３の内面は、ＬＥＤユニット２からの光を反射させる反射機能を有している。なお、実施形態１の取付板３（図２参照）と同様の機能については説明を省略する。
【００４６】
上述した本実施形態の照明器具１では、ＬＥＤユニット２の端部から突出片３３側に向かって放射された光（図７の破線）を、傾斜して設けられた突出片３３の内面で反射させることによって、ＬＥＤユニット２からの光を器具外面に放射しやすくすることができる。なお、ＬＥＤユニット２の端部から中央部３１側に向かって放射された光（図７の破線）については、実施形態１と同様に、下面３１１で反射させることができる。
【符号の説明】
【００４７】
１  照明器具
２  ＬＥＤユニット
３  取付板
３１  中央部
３１１  下面（一面）
３２  補強部
３３  突出片
３４  先端片
３９  隙間
４  反射板
５  器具本体
【図１】
0005914892.tif 000002
【図２】
0005914892.tif 000003
【図３】
0005914892.tif 000004
【図４】
0005914892.tif 000005
【図５】
0005914892.tif 000006
【図６】
0005914892.tif 000007
【図７】
0005914892.tif 000008